(57)【特許請求の範囲】
【請求項１】
少なくとも磁気回路と、この磁気回路に結合されたフレームと、このフレームに外周が結合され内周が上記磁気回路の磁気ギャップにはめ込まれるボイスコイルに結合された振動板と、上記フレームに結合され内周の内径寸法が連続的に変化するかまたは段階的に変化するかまたは連続的に変化する部分と段階的に変化する部分を有する立壁状リングからなるイコライザーとで構成されるスピーカ装置。
【請求項２】
立壁状リングからなるイコライザーがフレームに結合される第１リングと、内径寸法が連続的に変化するかまたは段階的に変化するかまたは連続的に変化する部分と段階的に変化する部分を有する上記第１リングに装着される第２リングとで構成される請求項１に記載のスピーカ装置。
【発明の詳細な説明】
【０００１】
【発明の属する技術分野】
本発明は各種音響機器に使用されるスピーカ装置に関するものである。
【０００２】
【従来の技術】
従来の技術を図５〜図７のドーム型ツィーターにより説明する。図５は斜視図であり、図６は半断面図であり、図７（ａ）は要部であるイコライザーの一部断面側面図であり、図７（ｂ）は同上面図である。
【０００３】
同図によると、１はヨーク、２はマグネット、３は円盤状のトッププレートであり、これらで磁気回路を形成しており、４はヨーク１に結合されたフレームであり、５は低音を減衰させる吸音材、６は磁気回路のヨーク１とトッププレート３間の磁気ギャップにはめ込まれたボイスコイルであり、７は上記ボイスコイル６に結合されるとともにドーム状に形成された振動板部７ａとその外周に設けられたエッジ部７ｂから成るダイアフラムであり、８は上記フレーム４に装着された立壁状リングからなるイコライザーである。
【０００４】
このイコライザー８についてより詳細に述べると立壁状リングの内周が内方に突出した断面形状をしており、その内周形状がドームツィーターのセンターと同心円状の単一半径により形成された真円形状の立壁もしくはテーパーで構成された構造となっている。
【０００５】
このイコライザー８の内周形状の寸法（径）により共振する周波数のところで共振による音圧上昇効果が得られる。この共振周波数は、
ｆ＝Ｃ／λ（ｆ＝共振周波数（Hz）、Ｃ＝音速（≒３４０ｍ／ｓ）λ＝波長（ｍ））で算出され、上記従来のイコライザー内周径を３０mmとした時その共振周波数Ｆは、Ｆ＝３４０／０．０３＝１１３３３Hzとなり、イコライザー８の無い状態の音圧周波数特性とイコライザー８を装着した状態での音圧周波数特性から８ｋHz〜２０ｋHzの音圧をＭＡＸ．２ｄＢ程度上昇させることができるものであった。
【０００６】
【発明が解決しようとする課題】
しかしながら、上述のスピーカ装置では音圧の向上が狙った周波数及びその近傍の周波数帯域となり広範な周波数帯域の音圧上昇効果は望めないという課題を有するものであった。
【０００７】
本発明は上記課題を解決するスピーカ装置を提供するものである。
【０００８】
【課題を解決するための手段】
上記課題を解決するために本発明のスピーカ装置は、少なくとも磁気回路と、この磁気回路に結合されたフレームと、このフレームに外周が結合され内周が上記磁気回路の磁気ギャップにはめ込まれるボイスコイルに結合された振動板と、上記フレームに結合され内周の内径寸法が連続的に変化するかまたは段階的に変化するかまたは連続的に変化する部分と段階的に変化する部分を有する立壁状リングからなるイコライザーで構成したものであり、任意の周波数帯域または任意の複数の周波数点での音圧の向上が図れるものである。
【０００９】
【発明の実施の形態】
本発明の請求項１に記載の発明は、少なくとも磁気回路と、この磁気回路に結合されたフレームと、このフレームに外周が結合され内周が上記磁気回路の磁気ギャップにはめ込まれるボイスコイルに結合された振動板と、上記フレームに結合され内周の内径寸法が連続的に変化するかまたは段階的に変化するかまたは連続的に変化する部分と段階的に変化する部分を有する立壁状リングからなるイコライザーで構成したものであり、イコライザーの内周径を連続的または段階的に変化させるかまたは両者の混在したものにして、複数または広範囲な周波数帯域の音圧の上昇を図ったものである。
【００１０】
本発明の請求項２に記載の発明は、請求項１のイコライザーがフレームに結合される第１リングと、内径寸法が連続的に変化するかまたは段階的に変化するかまたは連続的に変化する部分と段階的に変化する部分を有する上記第１リングに装着される第２リングとで構成したものであり、交換可能な多種の第２リングを予め準備することによって多種の音響特性パターンを極めて容易に選択できると共に、予め第２リング未装着のスピーカ装置を準備することができ、最終段階で第２リングを装着できるので、生産在庫の減少・生産性の向上が図れるものである。
【００１１】
以下、本発明のスピーカ装置を図１から図４により説明する。なお、従来技術と同一部分は同一番号を付与し、説明を省略して説明する。
【００１２】
図１は本発明のスピーカ装置の一実施の形態であるドーム型ツィーターの半断面図であり、図２（ａ）は要部であるイコライザーの第２リングの側断面図であり、図２（ｂ）は同上面図であり、図３（ａ）は同第１リングの側断面図であり、図３（ｂ）は同上面図であり、図４は音圧周波数特性図である。同図により従来技術との相違点を中心に説明すると、９はイコライザーであり、フレーム４に装着される第１リング９ａとこの第１リング９ａに着脱自在に装着される第２リング９ｂで構成されている。
【００１３】
この第２リング９ｂは立壁状リングの内周が内方に突出した断面形状であり、その内周形状がスピーカ装置のセンターポイントとは異なるポイント１０，１１，１２を中心とする円周を内径寸法とする連続的に変化する立壁もしくはテーパー状断面を有した構造としたものである。
【００１４】
上記構成の内周形状の寸法（径）による共振周波数はイコライザー内周径を３１mm〜２７mmとした場合、ｆ＝Ｃ／λ（ｆ＝共振周波数（Hz）、Ｃ＝音速（≒３４０ｍ／ｓ）λ＝波長（ｍ））の算出式から
３４０／０．０３１＝１０９６８Hz
３４０／０．０２７＝１２５９３Hzと算出される。
【００１５】
図４は上記スピーカ装置の音圧周波数特性であり、イコライザー９を装着した状態の音圧周波数特性１３とイコライザー９の未装着の場合の音圧周波数特性１４を示すものであり、両者の比較より１ｋHz〜２ｋHz付近の音圧がＭＡＸ．３ｄＢ程度上昇し、且つ５ｋHz〜２０ｋHzの音圧がＭＡＸ．４ｄＢ程度上昇（特にツィーターとして重要な１０ｋHz以上で顕著に上昇）するという広範な周波数帯域で高い音圧上昇効果が得られることが確認された。
【００１６】
なお、上記音圧周波数特性は本実施の形態では第２リング９ｂを交換することで変更することができる。
【００１７】
このとき第２リング９ｂの内径を上記実施の形態のように３つの異なる円周で形成するように連続的に変化させるだけでなく、段階的に変化させても良く、両者を混在させても良く、狙いの特性を得るために適宜選択できるものである。
【００１８】
また、第２リング９ｂの内周の一部に突起を突出させた場合にはスポット的に周波数を狙え、より平坦な周波数特性となるような設計が第２リング９ｂの形状変更で行え、スピーカ装置としての設計の自由度が向上するものである。
【００１９】
【発明の効果】
以上のように本発明のスピーカ装置は、イコライザーの内周を部分的に変化させて音圧周波数特性に影響を与えることを見いだし、イコライザーの内周の径を連続的または段階的に変化させた構成またはこの両者を混在させた構成として任意の周波数帯域または任意の複数の周波数点での音圧の向上が図れるものである。
【図面の簡単な説明】
【図１】本発明のスピーカ装置の一実施の形態の半断面図
【図２】（ａ）同要部である第２リングの側断面図
（ｂ）同上面図
【図３】（ａ）同要部である第１リングの側断面図
（ｂ）同上面図
【図４】同音圧周波数特性図
【図５】従来のスピーカ装置の斜視図
【図６】同半断面図
【図７】（ａ）同要部であるイコライザーの部分断面側面図
（ｂ）同上面図
【符号の説明】
１  ヨーク
２  マグネット
３  トッププレート
４  フレーム
５  吸音材
６  ボイスコイル
７  ダイアフラム
９  イコライザー
９ａ  第１リング
９ｂ  第２リング
【図１】
0003708286.tif 000002
【図２】
0003708286.tif 000003
【図３】
0003708286.tif 000004
【図４】
0003708286.tif 000005
【図５】
0003708286.tif 000006
【図６】
0003708286.tif 000007
【図７】
0003708286.tif 000008